(57)【特許請求の範囲】
【請求項１】
映像データと、前記映像データに出現する映像オブジェクトの形状に関するオブジェクト形状データと、前記映像オブジェクトの状態ごとに予め作成されたオブジェクト関連データとを受信して、ある映像オブジェクトが指定されたとき、指定された映像オブジェクトの状態を算出して、その映像オブジェクトの状態に対応したオブジェクト関連データを出力する情報ナビゲーション型放送データ制御装置において、
前記オブジェクト関連データを格納する関連データ格納部と、
前記オブジェクト形状データから映像オブジェクトの近似形状データを生成するオブジェクト形状近似部と、
画面上にポインティングデバイスを発生させて、このポインティングデバイスによって指定された映像オブジェクトの座標位置を出力するポインティング部分照合部と、
前記映像データと、前記映像オブジェクトの近似形状データと、前記出力された座標位置と、前記オブジェクト関連データに含まれる制御データによって与えられる論理式とに基づいて前記映像オブジェクトの状態を算出する状態計算部と
算出された前記映像オブジェクトの状態に対応したオブジェクト関連データを前記関連データ格納部から読み出して出力する制御出力部とを有し、
前記論理式は、前記映像オブジェクトの近似形状データの前記映像データ内における位置、速度、若しくは形状又はこれらの組み合わせを条件として含み、
前記オブジェクト形状近似部は、２値情報で表されたオブジェクト形状データについて、その更新周期ごとに集合和をとることにより、前記映像オブジェクトの近似形状データを生成することを特徴とする情報ナビゲーション型放送データ制御装置。
【請求項２】
前記オブジェクト関連データが階層構造で作成されており、前記制御出力部は、前記算出された映像オブジェクトの状態に応じて当該オブジェクト関連データを段階的に出力することを特徴とする請求項１に記載の情報ナビゲーション型放送データ制御装置。
【請求項３】
前記オブジェクト関連データは、分割される映像オブジェクトに対応して分けた状態で送信される際に、直前に送信したオブジェクト関連データの有効期間と重なるようにカルーセル伝送により送信されることを特徴とする請求項１又は請求項２に記載の情報ナビゲーション型放送データ制御装置。
【発明の詳細な説明】
【０００１】
【発明の属する技術分野】
本発明は、放送波や通信回線を用いて提供される放送データを制御する装置に係るもので、特に、デジタル放送におけるデータ放送サービスを利用する情報ナビゲーション型の放送データ制御装置に関するものである。
【０００２】
【従来の技術】
デジタル放送の特長を活かした放送サービスの一つにデータ放送がある。このデータ放送は、放送局側から映像・音声・テキスト・静止画等のデータを送信して、受信機側でこれを選択操作して視聴するものである。このデータ放送によれば、視聴者は、受信機に付属しているリモコンを操作することによって、ニュースや天気予報などの生活情報のほか、テレビ番組を補完する説明文を表示させるといった番組連動型のサービスを受けることができる。
【０００３】
ここで、放送局側で、放送コンテンツを構成する映像オブジェクトに対応した説明文や動画クリップなどのオブジェクト関連データを予め作成しておき、映像オブジェクトと共にこのオブジェクト関連データをデータ放送チャンネルに含めて送信して、受信機側でそのオブジェクト関連データを出力させるようにすれば、さらに娯楽性の高い放送サービスを提供することができる。例えば、受信機の表示画面に映っている動物にカーソルキーをあてると、その動物のプロフィール文、成長段階ごとのスナップ映像、鳴き声などが出力されるというものである。デジタル放送が普及するにつれて、このような放送局側から送信される映像オブジェクトの位置や形状などの状態に対応したオブジェクト関連データを受信して、これを視聴するという情報ナビゲーション型の放送サービスに対応できる装置に対する要望が高まってきた。
【０００４】
【発明が解決しようとする課題】
ところが、従来のテレビ受信機やインターネット端末では、映像オブジェクトの状態に対応したオブジェクト関連データを受信しても、そのオブジェクト関連データを解読して出力する機能が備わっていない。つまり、放送コンテンツに含まれている映像オブジェクトを、視聴者がインタラクティブに取り扱うことができないという問題点がある。
【０００５】
本発明は、このような事情に鑑みて創案されたもので、受信機側の表示画面上に出現する映像オブジェクトの位置、動く速度、形状などの状態を算出して、その映像オブジェクトの状態に対応したオブジェクト関連データを選択的に出力することができる情報ナビゲーション型放送データ制御装置の提供を目的としている。
【０００６】
【課題を解決するための手段】
前記の目的を達成するために、本発明の請求項１に係る発明は、映像データと、前記映像データに出現する映像オブジェクトの形状に関するオブジェクト形状データと、前記映像オブジェクトの状態ごとに予め作成されたオブジェクト関連データとを受信して、ある映像オブジェクトが指定されたとき、指定された映像オブジェクトの状態を算出して、その映像オブジェクトの状態に対応したオブジェクト関連データを出力する情報ナビゲーション型放送データ制御装置において、前記オブジェクト関連データを格納する関連データ格納部と、前記オブジェクト形状データから映像オブジェクトの近似形状データを生成するオブジェクト形状近似部と、表示画面上にポインティングデバイスを発生させて、このポインティングデバイスによって指定された映像オブジェクトの座標位置を出力するポインティング部分照合部と、前記映像データと、前記映像オブジェクトの近似形状データと、前記出力された座標位置と、前記オブジェクト関連データに含まれる制御データによって与えられる論理式とに基づいて前記映像オブジェクトの状態を算出する状態計算部と、算出された前記映像オブジェクトの状態に対応したオブジェクト関連データを前記関連データ格納部から読み出して出力する制御出力部とを有し、前記論理式は、前記映像オブジェクトの近似形状データの前記映像データ内における位置、速度、若しくは形状又はこれらの組み合わせを条件として含み、前記オブジェクト形状近似部は、２値情報で表されたオブジェクト形状データについて、その更新周期ごとに集合和をとることにより、前記映像オブジェクトの近似形状データを生成することを特徴とする。
【０００７】
このような構成によれば、視聴者が表示画面上の映像オブジェクトを指定すると、ポインティング部分照合部によってその映像オブジェクトの座標位置が認識され、状態計算部によって映像オブジェクトの状態が算出される。そして、算出された映像オブジェクトの状態に対応したオブジェクト関連データが、制御出力部によって出力される。これにより、視聴者が映像オブジェクトを指定すると、その映像オブジェクトに対応した説明文やナレーションなどが出力される。すなわち、視聴者が表示画面上の映像を指定すると、指定された映像オブジェクトの位置、動く速度、形状などの状態に応じた映像や音声或いは文字などの番組補完情報を得ることができる。
また、このような構成によれば、伝送容量が小さい伝送路ではオブジェクト形状データと映像データとをフレーム単位で同期させることが困難となるという問題を解消することができる。したがって、ＢＳデジタル放送のような狭帯域でのデータ放送にも対応することができる。
【０００８】
また、請求項２に係る発明は、請求項１に記載の情報ナビゲーション型放送データ制御装置において、前記オブジェクト関連データが階層構造で作成されており、前記制御出力部は、前記算出された映像オブジェクトの状態に応じて当該オブジェクト関連データを段階的に出力する構成とした。
【０００９】
このような構成によれば、オブジェクト関連データが階層構造で関連データ格納部に格納される。そして、状態計算部によって映像オブジェクトの状態が算出されると、関連データ格納部に格納されているオブジェクト関連データの中から、その状態に対応した関連データが段階的に出力される。これにより、視聴者が映像オブジェクトを指定すると、例えばその映像オブジェクトに対応した説明文に続いてナレーションやイメージ画像などが段階的に出力される。
【００１２】
また、前記情報ナビゲーション型放送データ制御装置において、前記オブジェクト関連データは、分割される映像オブジェクトに対応して分けた状態で送信される際に、カルーセル伝送により、直前に送信したオブジェクト関連データの有効期間と重なるように送信される構成とした。
【００１３】
このような構成によれば、オブジェクト関連データは、分割される前記映像オブジェクトに対応して分けられ、カルーセル伝送による送信の場合であっても、その分けたオブジェクト関連データの一方と他方との重複される部分が、カルーセル伝送データの周期内で常にオーバーラップした状態となる。
【００１４】
【発明の実施の形態】
以下、図面を参照して本発明の実施の形態について説明する。はじめに、図１を参照して本発明の情報ナビゲーション型放送データ制御装置（以下、「放送データ制御装置」と略称する）の構成について説明する。図１は、放送データ制御装置の構成を示すブロック図である。
【００１５】
図１において、放送データ制御装置は、オブジェクト形状近似部１１、ポインティング部分照合部１２、状態計算部１３、関連データ格納部１４及び制御出力部１５から構成されている。また、図示はしない表示用画面を有している。ここで、制御出力部１５は、制御駆動部１６、出力機構制御部１７及び出力機構切替部１８から構成されている。さらに、出力機構制御部１７は、複数の出力機構制御部１７ａ1，…，１７ａnから構成されている。
【００１６】
オブジェクト形状近似部１１は、オブジェクト形状データ２２を受信して当該映像オブジェクトの近似形状データを生成する。ＢＳデジタル放送のデータチャンネルを用いてオブジェクト形状データ２２が送信されてくる場合には、オブジェクト形状データ２２は２値情報の形式である。オブジェクト形状近似部１１は、状態計算部１３における映像オブジェクトの状態算出を容易にさせるために、２値情報をバイナリテーブルに変換する。そして、このバイナリテーブルを状態計算部１３に送出する。
【００１７】
ここで、オブジェクト形状近似部１１は、受信フレーム毎に出現するオブジェクト形状データ２２を、当該映像オブジェクトの更新周期分だけ集合和をとることによって、近似形状データを生成することができる。そのため、ＢＳデジタル放送のデータチャンネルのように伝送容量が小さい伝送路では、オブジェクト形状データ２２と映像データ２１とをフレーム単位で同期させることが困難となることや、また、ＢＳデジタル放送対応の受信機では、フレーム毎にオブジェクト関連データ２３の更新を行うことは、ハードウェア処理の負荷を重くなること等の問題に対して、オブジェクト形状近似部１１では、軽減されることになる。
【００１８】
ポインティング部分照合部１２は、表示画面上に表示される映像オブジェクトの指定を支援し、当該映像オブジェクトが指定されたときに、指定された映像オブジェクトの座標位置を出力する。このポインティング部分照合部１２は、通常のテレビ受信機には存在しないカーソルキーなどのポインティングデバイスを擬似的に発生させて、表示画面上に表示する。そして、視聴者がリモコンなどを操作して表示画面上の映像オブジェクトにカーソルキーをあてがうと、その表示画面上の座標位置を出力するようになっている。なお、カーソルキーの代わりに長方形状のＰｉｎｇ画像を用意し、Ｐｉｎｇ画像をリモコン操作に対応させて、表示画面上にスーパーインポーズするようにしてもよい。
【００１９】
ここで、オブジェクト形状データ２２には、映像データ２１の１フレームに相当する映像オブジェクト毎に、当該映像オブジェクトを囲んでいるバウンディングボックス（矩形領域）の縦方向と横方向及び左上の座標位置が示されている。ポインティング部分照合部１２は、視聴者によって指定された表示画面上の座標位置と、オブジェクト形状データ２２に含まれているバウンディングボックスの縦方向と横方向及び左上の座標位置を照合して、視聴者が指定した座標位置が前記バウンディングボックスの領域内の座標である場合に、その座標位置を状態計算部１３に通知する。
【００２０】
状態計算部１３は、映像データ２１と、オブジェクト形状データ２２と、ポインティング部分照合部１２によって出力された表示画面上の座標位置と、オブジェクト関連データ２３に含まれている制御データとに基づいて、当該映像オブジェクトの現時点における状態を算出する。ここで、オブジェクト関連データ２３に含まれている制御データには、例えば、映像オブジェクト毎にとり得る状態を示す所定の識別番号などが含まれている。状態計算部１３は、この制御データを解読して、その映像オブジェクト毎にとり得る状態を算出する。算出された状態は制御出力部１５に通知する。
【００２１】
関連データ格納部１４は、放送局側で映像オブジェクト毎に予め作成されたオブジェクト関連データを受信して格納する。オブジェクト関連データは、ファイル形式で作成されてもよい。関連データ格納部１４は、このオブジェクト関連データ２３を、映像オブジェクトの状態に対応するように階層構造で格納している。例えば、前記したバウンディングボックス単位のオブジェクト関連データに、バウンディングボックス内の小領域単位のオブジェクト関連データをツリー状にリンクして格納する。さらに、これらのオブジェクト関連データ各々に対して、映像、音声、テキストのメディア別のデータがリンクするような構造で格納する。これらのオブジェクト関連データは、所定の番号によってリンク付けされており、連鎖的に読み出されるようになっている。
【００２２】
制御駆動部１６は、状態計算部１３によって計算された映像オブジェクトの状態に基づいて、その状態に対応したオブジェクト関連データ２３を関連データ格納部１４の中から読み出して出力するための制御を行う。状態計算部１３で求めた映像オブジェクトの状態には、所定の状態番号が含まれているので、この状態番号をキーにして関連データ格納部１４からその状態番号のオブジェクト関連データ２３を選択する。そして、選択したオブジェクト関連データ２３のメディアに対応した出力機構制御部１７（１７ａ1，・・，１７ａn）を駆動させると共に、出力機構切替部１８の動作モードを切り替える。
【００２３】
出力機構制御部１７（１７ａ1，・・，１７ａn）は、制御駆動部１６の制御によって選択されたオブジェクト関連データ２３を出力する。選択されたオブジェクト関連データ２３が映像であれば、例えば出力機構制御部１７ａ1が起動して映像ファイルを再生する。選択されたオブジェクト関連データ２３が音声であれば、例えば出力機構制御部１７ａnが起動して音声ファイルを再生する。
【００２４】
出力機構切替部１８は、制御駆動部１６の制御によって、出力機構制御部１７（１７ａ1，・・，１７ａn）からの出力を切り替える。例えば、出力機構制御部１７ａ1から出力される映像を表示画面に表示させたり、出力機構制御部１７ａnから出力される音声をスピーカから出力する。
【００２５】
次に、本放送データ制御装置に入力されるデータ類について説明する。放送データ制御装置の入力データは、映像データ２１、オブジェクト形状データ２２、オブジェクト関連データ２３及び手動によるローカル入力データ２４である。
【００２６】
映像データ２１は、放送局から放送波又は通信回線を用いて送信される映像・音声のテレビ信号である。ＢＳデジタル放送の場合には、ＭＰＥＧ−２規格を用いて符号化され、オブジェクト形状データ２２やオブジェクト関連データ２３などのデータ放送と一緒に多重されトランスポートストリームとして送信される。
【００２７】
オブジェクト形状データ２２は、映像データ２１に存在する複数の映像オブジェクトを表現するデータである。このオブジェクト形状データ２２は、映像データ２１と空間的・時間的に同期しており、時々刻々変化する。同期制御のため、オブジェクト形状データ２２とそのオブジェクト形状データが映像中に出現する時間情報をオブジェクト形状データ２２に関連付ける。関連付けるための方法としては、例えば、単位時間に相当するオブジェクト形状データ２２を示すＩＤを記述したテーブルデータを参照する方法や、また、オブジェクト形状データ２２に直接、時間情報を記述する方法などがある。
【００２８】
なお、映像データ２１とオブジェクト形状データ２２の同期は、例えば、それぞれのデータから抽出する時間情報に基づき行なわれる方法（特願２０００−３８４２４３）による。また、前記したようにこのオブジェクト形状データ２２には、当該映像オブジェクトを囲んでいるバウンディングボックス（矩形領域）の縦方向と横方向及び左上の座標位置を示すデータが映像オブジェクト毎に含まれている。
【００２９】
オブジェクト関連データ２３は、映像オブジェクトの状態に対応して作成されるデータであり、テキスト説明文、静止画ファイルのほか、音声や動画クリップを取り扱うことができる。このオブジェクト関連データ２３は、映像オブジェクトが幾つかの小領域に分割されているときには、その小領域毎にとり得る状態を示すように作成されている。また、このオブジェクト関連データ２３には、前記したように当該映像オブジェクトのとり得る状態を示す所定の状態番号が含まれている。また、当該オブジェクト関連データ２３が選択されたとき、そのオブジェクト関連データ２３に連動して他のオブジェクト関連データを連鎖的に出力させる制御プログラムを含めることができる。また、オブジェクト関連データ２３がＢＭＬ（Ｂｒｏａｄｃａｓｔ  ｍａｒｋｕｐ  Ｌａｎｇｕａｇｅ）形式のデータで入力されるときは、レイアウトなどの表示形式を決めるＢＭＬ文書と、そのレイアウトに埋め込むデータとが含まれる。
【００３０】
また、オブジェクト関連データ２３は、カルーセル伝送によりＢＭＬ形式で送信されてくる。このとき、時々刻々変化するオブジェクト関連データ２３を効率的に送信するために、オブジェクト関連データ２３をある一定間隔だけ先読みして一度にまとめて送信されるものとする。このとき、オブジェクト関連データ２３の送信タイミングは、直前に送信したオブジェクト関連データ２３の有効期間と重なるように送信される。
【００３１】
図５を参照して説明を加える。図５は、オブジェクト関連データ２３の伝送方法を示す図である。図５において、オブジェクト関連データ２３は、対象時間を３つに分けて、それぞれの時間内でのオブジェクト関連データ２３が１つのモジュールにまとめられている。オブジェクト関連データ＃１はｔ０に送信され、ｔ０からｔ１＋Ｔまでの時間における映像オブジェクトの状態に対応する。オブジェクト関連データ＃２は時刻ｔ１に送信され、時刻ｔ１からｔ２＋Ｔまでの時間における映像オブジェクトの状態に対応する。オブジェクト関連データ＃３は時刻ｔ２に送信され、時刻ｔ２からｔ３＋Ｔまでの時間における映像オブジェクトの状態に対応する。ここで、Ｔがカルーセル伝送の周期ｔcalよりも大きければ、切れ目なく時々刻々と変化するオブジェクト関連データ２３が送信されることになる。したがって、オブジェクト関連データ２３を前記のように３分割すれば、一度に送信するのに必要なデータ量は、約１／３の伝送容量にできる（分割した割合に対応した伝送容量）。
【００３２】
なお、カルーセル伝送は、受信機に対するデータダウンロードやマルチメディアサービスにおけるコンテンツの伝送などの、ストリーミングを必要としない一般的な同期および非同期データの伝送を実現することができる。そして、このカルーセル伝送は、受信機に対してデータの繰り返し送信を行うことで、受信機が放送時間中の任意時点で必要なデータを取得することができる。このカルーセル伝送で送信するデータは、ブロックに分割されたモジュール単位で伝送される。このとき、モジュール末尾のブロック以外における全てのブロックは同じサイズであり、各ブロックはセクションにて伝送される。
【００３３】
再び図１に戻って、ローカル入力データ２４は、視聴者がリモコンなどを用いて表示画面上でカーソルキーを移動させたときに発生するデータである。このローカル入力データ２４がポインティング部分照合部１２に入力されると、ポインティング部分照合部１２はカーソルキーの表示画面上の座標位置を出力する。
【００３４】
これらの入力データは、予め適切な手段によって分類されて本放送データ制御装置に入力されるものとする。例えば、ＢＳデジタル放送の場合では、特願２０００−３８４２４３「情報ナビゲーション方法およびその方法を利用するテレビジョン装置」などに記載されている方法を用いることによって、本放送データ制御装置に供給することができる。また、インターネットなどのネットワーク環境でのダウンロードサービスでは、個々のデータに固有の識別子を付加することによっても、本放送データ制御装置に供給することができる。
【００３５】
次に、図６のフローチャートに沿って本放送データ制御装置の動作について説明する。図６は、本放送データ制御装置の動作手順を示すフローチャートである。ここでは本放送データ制御装置をＢＳデジタル放送に適用する場合を例に説明する。まず、事前に分類された映像データ２１、オブジェクト形状データ２２及びオブジェクト関連データ２３が、放送データ制御装置に入力される。（ステップＳ１０１）。
【００３６】
オブジェクト形状データ２２は、オブジェクト形状近似部１１において、映像オブジェクト１つにつき１つのバイナリテーブル形式のマスク信号で管理される。図２にオブジェクト形状データ２２の一例を示す。図２に示すバイナリテーブルは、映像オブジェクトを形成するピクセルの有無を模式的に示したもので、「１」はオブジェクト有り、「０」はオブジェクト無しを示している。ここで、オブジェクト形状データ２２は、マスク信号以外にもオブジェクト形状をポリゴンやＢスプラインで近似したパラメータ形式で表わしてもよい。ただし、この場合は、近似したパラメータから図２に示したバイナリテーブル形式のマスク信号に変換するための変換器がオブジェクト形状データ２２の入力直後に必要となる。
【００３７】
オブジェクト形状近似部１１は、このオブジェクト形状データ２２を基にしてオブジェクトの近似を行う。図３は、オブジェクト形状の近似を行う過程の一例を示す図である。図３に示すように、オブジェクト形状近似部１１は時刻ｔ０，ｔ１，・・，ｔｎにおける各映像オブジェクトを統合する。つまり、任意の時刻ｔにおけるオブジェクト形状データ２２をＯｂtとすると、近似されたオブジェクト近似形状データＯｂappは、下記式（１）式で表される。
【００３８】
【数１】
0004658393.tif 000002
【００３９】
前記式（１）において、Ｔはオブジェクト形状データ２２が更新される周期を示す。この式（１）より分かるように、フレーム単位で検出されたオブジェクト形状データ２２を、そのオブジェクト形状データ２２が更新される時間分だけ集合和をとって拡張される。この拡張されたオブジェクト形状データは、オブジェクト近似形状データＯｂappとして状態計算部１３に通知されると共に、ポインティング部分照合部１２にも通知される（図６のステップＳ１０２）。
【００４０】
視聴者がリモコンを操作して、表示画面上に表示されている映像オブジェクトをカーソルで指定する。この映像オブジェクトは、いわゆるアルファ・ブレンディングとして表示画面にオーバレイされている。指定された映像オブジェクトをハイライト表示させることもできる。ポインティング部分照合部１２は、指定された表示画面上の座標位置（ポインティング座標）を状態計算部１３に通知する（図６のステップＳ１０３）。
【００４１】
次いで状態計算部１３は、映像データ２１、オブジェクト近似形状データ、ポインティング座標及びオブジェクト関連データ２３に含まれている制御データを用いて、現時点での映像オブジェクトの状態を算出する（図６のステップＳ１０４）。
【００４２】
映像データ２１をｖt、オブジェクト近似形状データをＯｂapp、ポインティング座標をｘp＝（ｘｐ，ｙｐ）とするとき、前記したように制御用データによって状態算出が行なわれる。状態算出の論理式をｆ（＊）で表すと、状態ｓtは下記式（２）で表わされる。
【００４３】
【数２】
0004658393.tif 000003
【００４４】
ここで、映像オブジェクトのポインティング座標の位置によって、当該映像オブジェクトに対応したオブジェクト関連データ２３の種類や見せ方を変えることができる。図４を参照してその具体的な方法について説明する。図４は、オブジェクト関連データ２３の制御を示す図である。図４において、象のオブジェクト形状を囲む長方形のバウンディングボックスを算出し、そのバウンディングボックスを横方向に３分割する。３分割された領域を左からＤ１領域、Ｄ２領域、Ｄ３領域として、それぞれの領域内でのオブジェクトがポインティングされたときに、状態変数ｓ1、ｓ2、ｓ3を出力する。バウンディングボックスの左上頂点座標をｘb＝（ｘｂ，ｙｂ）、縦と横の辺の長さをｘs＝（ｘｓ，ｙｓ）で表わすと、下記式（３）でこの場合の状態を表わすことができる。
【００４５】
【数３】
0004658393.tif 000004
【００４６】
ここで、式（３）では、映像データ２１の情報を使っていないが、映像データ２１内の映像オブジェクトの位置関係を状態計算に組み入れることもできる。このように、映像データｖt、近似オブジェクト形状データＯｂapp、ポインティング座標ｘp＝（ｘｐ，ｙｐ）から制御データ内の記述によっていろいろな状態変数を柔軟に算出することができる。この機能を用いると、図４の例では、視聴者が象の頭部近傍（Ｄ１領域）を指定すると象の鳴き声（オブジェクト関連データｄ１）が出力され、像の尻尾近傍（Ｄ３領域）を指定すると異なる種類の音声オブジェクト関連データｄ３）が出力されるなど、指定したオグジェクトに対応したオブジェクト関連データ２３が出力される。
【００４７】
このとき、オブジェクト関連データ２３のどの項目を出力させるかは、状態計算部１３の出力ｓiで決定される。状態計算部１３によって計算された映像オブジェクトの位置、動く速度、形状などの状態に応じて、関連データ格納部１４からオブジェクト関連データ２３が出力される。このとき、関連データ格納部１４には、オブジェクト関連データ２３が映像オブジェクトの状態ｓiに対応するように階層構造で格納されているので、映像、音声、テキストのメディア別のデータがリンクするように出力される。また、これらのオブジェクト関連データが連鎖的に読み出されて出力される（図６のステップＳ１０５）。
【００４８】
ここで、映像オブジェクトの状態に応じて段階的に出力されるオブジェクト関連データ２３は、制御駆動部１６によってメディアに対応した出力機構制御部１７（１７ａ1〜１７ａn）が駆動される。例えば、音声を含む項目が選択された場合には、音声を再生する出力機構制御部１７ａnが起動して、出力機構切替部１８の動作モードが切り替わってスピーカから音声が出力される
【００４９】
【発明の効果】
以上説明したように、本発明によれば、以下の効果を奏する。
請求項１に係る情報ナビゲーション型放送データ制御装置によれば、映像データに含まれている映像オブジェクトの状態を算出して、算出した状態に対応するオブジェクト関連データを出力するので、視聴者が表示画面上の映像を指定すると、指定された映像オブジェクトの位置、動く速度、形状などの状態に応じた映像や音声或いは文字などの番組補完情報を得ることができる。
また、請求項１に係る情報ナビゲーション型放送データ制御装置によれば、伝送容量が小さい伝送路ではオブジェクト形状データと映像データとをフレーム単位で同期させることが困難となるという問題を解消することができる。したがって、ＢＳデジタル放送のような狭帯域でのデータ放送にも対応することができる。
【００５０】
請求項２に係る情報ナビゲーション型放送データ制御装置によれば、オブジェクト関連データを階層構造で格納して、映像オブジェクトの状態に対応したオブジェクト関連データを段階的に出力するので、視聴者が表示画面上の映像オブジェクトを指定すると、その映像オブジェクトに対応した動画クリップに続けてナレーションが、或いは概要説明文に続いて詳細説明文などの番組補完情報を連鎖的に得ることができる。
【００５２】
また、情報ナビゲーション型放送データ制御装置によれば、オブジェクト関連データが、分割される前記映像オブジェクトに対応して分けられ、カルーセル伝送による送信の場合、一度に伝送するのに必要なデータ量を削減することができる。また、その分けたオブジェクト関連データの一方と他方との重複される部分が、カルーセル伝送データの周期内で常にオーバーラップした状態となるため、オブジェクト関連データが行き違いなどの齟齬をきたすことがない。
【図面の簡単な説明】
【図１】本発明にかかる放送データ制御装置の構成を示すブロック図である。
【図２】本発明にかかるオブジェクト形状データの構造を示す図である。
【図３】本発明にかかるオブジェクト形状近似部の動作を示す図である。
【図４】本発明にかかるオブジェクト関連データの制御を示す図である。
【図５】本発明にかかるオブジェクト形状データデータの伝送方法を示す図である。
【図６】本発明にかかる放送データ制御装置の動作手順を示すフローチャートである。
【符号の説明】
１１  オブジェクト形状近似部
１２  ポインティング部分照合部
１３  状態計算部
１４  関連データ格納部
１５  制御出力部
１６  制御駆動部
１７  出力機構制御部
１８  出力機構切替部
２１  映像データ
２２  オブジェクト形状データ
２３  オブジェクト関連データ
２４  ローカル入力データ
【図１】
0004658393.tif 000005
【図２】
0004658393.tif 000006
【図３】
0004658393.tif 000007
【図４】
0004658393.tif 000008
【図５】
0004658393.tif 000009
【図６】
0004658393.tif 000010